(57)【要約】【課題】  本発明は衣服を接着剤で損傷させたりすることなく、効率よく脇の下の汗を吸収することができる汗取りパットを得るにある。【解決手段】  ほぼ中央部で折りたたまれる汗取りパット本体と、この汗取りパット本体の折りたたまれる部位の両端部を除く内側部位に、通常状態では収縮して多数個のギャザーとなるとともに、衣服の袖のアームホールの端部の侵入を阻止できるように縫着固定されたゴムテープと、前記汗取りパット本体の折りたたまれる部位の両端部と衣服の袖のアームホールの端部とを挟着固定する一対の止め具とで汗取りパットを構成している。【選択図】  図１
2010018904.tif 000002
【特許請求の範囲】
【請求項１】
ほぼ中央部で折りたたまれる汗取りパット本体と、この汗取りパット本体の折りたたまれる部位の両端部を除く内側部位に、通常状態では収縮して多数個のギャザーとなるとともに、衣服の袖のアームホールの端部の侵入を阻止できるように縫着固定されたゴムテープと、前記汗取りパット本体の折りたたまれる部位の両端部と衣服の袖のアームホールの端部とを挟着固定する一対の止め具とからなることを特徴とする汗取りパット。
【請求項２】
ゴムテープは汗取りパットの折りたたまれる端部を除く部位に配置され、該汗取りパットの折りたたまれる部位を除く部位で縫着固定されていることを特徴とする請求項１記載の汗取りパット。
【請求項３】
一対の止め具は中央部が円弧状に曲げられ、両端部は異なる長さで内側面が順次開口するように形成されたほぼコ字状の止め具本体と、この止め具本体の開口端部側の一方の内壁面に一体形成された２個の係止用突片および、他方の内壁面に一体形成された前記２個の係止用突片間に位置する１個の係止突片とで構成されていることを特徴とする請求項１記載の汗取りパット。  
【発明の詳細な説明】
【技術分野】
【０００１】
本発明は衣服の袖のアームホールに取付けて、脇の下の汗を吸収する汗取りパットに関する。
【背景技術】
【０００２】
従来の汗取りパットは衣服の袖のアームホール部に両面接着テープで取付けている。また、衣服の袖のアームホール部に位置する部分にギャザーを形成したものがある。
【０００３】
しかしながら、前者の衣服のアームホール部に両面接着テープで取付けるものは、両面接着テープの接着剤によって衣服を損傷してしまうという欠点があり、後者のギャザーを形成したものは前者の欠点と同様な欠点があるとともに、ギャザー部分が袖のアームホール部の端部に位置するため、脇の下に当接しずらく、効率よく脇の下の汗を吸収することができないという欠点があった。
【特許文献１】特公平４−５７７６３
【発明の開示】
【発明が解決しようとする課題】
【０００４】
本発明は以上のような従来の欠点に鑑み、衣服を接着剤で損傷させたりすることなく、効率よく脇の下の汗を吸収することができる汗取りパットを提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明はほぼ中央部で折りたたまれる汗取りパット本体と、この汗取りパット本体の折りたたまれる部位の両端部を除く内側部位に、通常状態では収縮して多数個のギャザーとなるとともに、衣服の袖のアームホールの端部の侵入を阻止できるように縫着固定されたゴムテープと、前記汗取りパット本体の折りたたまれる部位の両端部と衣服の袖のアームホールの端部とを挟着固定する一対の止め具とで汗取りパットを構成している。
【発明の効果】
【０００７】
以上の説明から明らかなように、本発明にあっては次に列挙する効果が得られる。
【０００８】
（１）ほぼ中央部で折りたたまれる汗取りパット本体と、この汗取りパット本体の折りたたまれる部位の両端部を除く内側部位に、通常状態では収縮して多数個のギャザーとなるとともに、衣服の袖のアームホールの端部の侵入を阻止できるように縫着固定されたゴムテープと、前記汗取りパット本体の折りたたまれる部位の両端部と衣服の袖のアームホールの端部とを挟着固定する一対の止め具とで構成されているので、衣服の袖のアームホールに一対の止め具で挟着固定するので、従来のように両面接着テープで固定するもののように、接着剤で衣服を汚して損傷させたりするのを確実に防止することができる。
【０００９】
（２）前記（１）によって、衣服の袖のアームホールの端部が汗取りパット本体のゴムテープが取付けられた端部となるので、衣服の袖のアームホールの端部よりギャザーが形成された部位を突出させることができる。
したがって、汗取りパット本体のギャザー部分を脇の下に接触しやすい部位に位置でき、確実に脇の下の汗を吸収することができる。
【００１０】
（３）前記（１）によって、一対の止め具を取付ける汗取りパット本体の両端にはゴムテープが位置していないので、嵩ばることなく、容易に止め具を取付けることができる。
【００１１】
（４）請求項２は前記（１）〜（３）と同様な効果が得られるとともに、汗取りパット本体の折りたたまれる端部にゴムテープを縫着固定する縫糸が位置しないので、気持ちよく使用することができる。
【００１２】
（５）請求項３は前記（１） 〜（３）と同様な効果が得られるとともに、汗取りパット本体および衣服の袖のアームホール部に脱落しずらく、容易に取付けることができる。
【発明を実施するための最良の形態】
【００１３】
以下、図面に示す本発明を実施するための最良の形態により、本発明を詳細に説明する。
【００１４】
図１ないし図７に示す本発明を実施するための最良の第１の形態において、１は本発明の衣服２の袖３のアームホール４の端部に取付けて使用する汗取りパットで、この汗取りパット１は、ほぼ中央部で折りたたまれる汗取りパット本体５と、この汗取りパット本体５の折りたたまれる部位の両端部を除く内部部位に、通常状態では収縮して多数個のギャザー６となるとともに、衣服２の袖３のアームホール４の端部の侵入を阻止できるように縫着固定されたゴムテープ７と、前記汗取りパット本体５の折りたたまれる部位の両端部と前記衣服２の袖３のアームホール４の端部とを挟着固定する一対の止め具８、８とで構成されている。
【００１５】
前記汗取りパット本体５は毛細管原理による高吸水性能を発揮し、吸水した汗を素早く拡散、速乾し、常に爽やかで軽量、嵩高性生地で着心地も快適なエアファイン（東レ株式会社の商標）等の多孔質の吸水シート９と、この吸水シート９の背面にコーティングされたポリウレタンフィルム等の防水および抗菌消臭の透湿防止フィルム１０で構成されたものをほぼ円形状に形成し、外周部をほつれないように縫着固定したものが使用されている。
【００１６】
前記一対の止め具８、８は合成樹脂材で中央部が円弧状に曲げられ、両端部は異なる長さとなり、内側面が順次開口するように形成されたほぼコ字状の止め具本体１１と、この止め具本体１１の開口端部１１ａ側の一方の内壁面１１ｂに一体形成された２個の係止用突片１２、１２および、他方の内壁面１１ｃの一体形成された前記２個の係止用突片１２、１２間に位置する１個の係止突片１３と、前記止め具本体１１の外側の外周端部に形成された面取り部１４とで構成されている。  
【００１７】
上記構成の汗取りパット１は図５に示すように、衣服２の袖３のアームホール４の端部に汗取りパット本体５を開放し、ゴムテープ７の端部をアームホール４の端部に位置させ、汗取りパット本体５の両端部を、該汗取りパット本体５の両端部で覆われているアームホール４の端部といっしょに止め具８、８を押し込むだけの楽な操作で、確実に止め具８、８を挟着固定する。
この状態で汗取りパット１はアームホール４に取付けられた状態となるが、アームホール４の端部より多数個のギャザー６が形成されたゴムテープ７が縫着固定された部位が突出した状態となり、該部位が脇の下に突出した状態となり、脇の下の汗を効率よく吸収することができる。
[発明を実施するための異なる形態]
【００１８】
次に、図８ないし図１４に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００１９】
図８ないし図１１に示す本発明を実施するための第２の形態において、前記本発明を実施するための最良の第１の形態と主に異なる点は、汗取りパット本体５の折りたたまれる端部５ａを除く部位、すなわち端部５ａとの間に隙間１５を介してゴムテープ７を配置し、汗取りパット本体５の折りたたまれる端部に縫糸が位置しないようにゴムテープ７を汗取りパット本体５に縫着固定した点で、このように構成された汗取りパット１Ａは多数個のギャザー６部に縫糸が存在することなく、ギャザー６部での汗の吸収や肌触りの向上を図ることができる。
【００２０】
図１２ないし図１４に示す本発明を実施するための第３の形態において、前記本発明を実施するための第２の形態と主に異なる点は、多孔質のポリエステルフィルム１６、吸水性ポリエステルフィルム１７および、防湿性のポリウレタンフィルム１８を重ね合わせて固定したシート１９で汗取りパット本体５Ａを形成した点で、このような汗取りパット本体５Ａを用いて構成した汗取りパット１Ｂにしても、前記本発明を実施するための第２の形態と同様な作用効果が得られる。
【００２１】
なお、パット本体５の外周部がほつれないような材質のものを使用することにより、外周部を縫着固定しなくても良い。
【産業上の利用可能性】
【００２２】
本発明は汗取りパットを製造する産業で利用される。
【図面の簡単な説明】
【００２３】
【図１】本発明を実施するための最良の第１の形態の正面図。
【図２】図１の２−２線に沿う断面図。
【図３】本発明を実施するための最良の第１の形態の汗取りパット本体の説明図。
【図４】ゴムテープを引張った状態で汗取りパット本体に縫着されている状態の説明図。
【図５】本発明を実施するための最良の第１の形態の衣服に取付けた状態の説明図。
【図６】図５の６−６線に沿う断面図。
【図７】図５の７−７線に沿う断面図。
【図８】本発明を実施するための第２の形態の正面図。
【図９】図８の９−９線に沿う断面図。
【図１０】本発明を実施するための第２の形態の衣服に取付けた状態の説明図。
【図１１】図１０の１１−１１線に沿う断面図。
【図１２】本発明を実施するための第３の形態の正面図。
【図１３】図１２の１３−１３線に沿う断面図。
【図１４】本発明を実施するための第３の形態の汗取りパット本体の説明図。
【符号の説明】
【００２４】
１、１Ａ、１Ｂ：汗取りパット、２：衣服、
３：袖、                      ４：アームホール、
５、５Ａ：汗取りパット本体、  ６：ギャザー、
７：ゴムテープ、              ８：止め具、
９：吸水シート、              １０：透湿防止フィルム、
１１：止め具本体、            １２：係止用突片、
１３：係止突片、              １４：面取り部、
１５：隙間、                  １６：ポリエステルフィルム、
１７：吸水性ポリエステルフィルム、
１８：防湿性のポリウレタンフィルム、
１９：シート。
【図１】
2010018904.tif 000003
【図２】
2010018904.tif 000004
【図３】
2010018904.tif 000005
【図４】
2010018904.tif 000006
【図５】
2010018904.tif 000007
【図６】
2010018904.tif 000008
【図７】
2010018904.tif 000009
【図８】
2010018904.tif 000010
【図９】
2010018904.tif 000011
【図１０】
2010018904.tif 000012
【図１１】
2010018904.tif 000013
【図１２】
2010018904.tif 000014
【図１３】
2010018904.tif 000015
【図１４】
2010018904.tif 000016